(57)【特許請求の範囲】
【請求項１】
地上に構築され、内部に二輪車を収容する複数の収容部が配設される躯体と、
前記躯体内に配設され、前記収容部に対して前記二輪車を搬送する搬送装置とを備え、
前記躯体を構成する躯体パーツ同士及び前記躯体パーツと前記搬送装置とが取付・解体自在な取付手段により取り付けられている組立式駐輪場において、
前記躯体は、台座と、当該台座上に等間隔に設置された複数の収容ユニットとを備え、
前記台座は、複数のパーツから構成され、
前記収容ユニットは、前記台座上に立設された一対の支持部材と、前記台座上に立設された補助支持部材とを備え、
一の前記収容ユニットに配設される前記収容部は、前記一対の支持部材のうち一方の支持部材に上下方向に複数段取り付けられた収容部と、この収容部とは異なる収容部であって他方の支持部材に上下方向に複数段取り付けられた収容部とからなり、
前記一方の支持部材に取り付けられた収容部及び前記他方の支持部材に取り付けられた収容部は、これらの間に配置された前記補助支持部材に、それぞれ水平方向に連結する支持フレームを介して連結されて支持されたことを特徴とする組立式駐輪場。
【請求項２】
請求項１記載の組立式駐輪場において、
前記一方の支持部材に取り付けられた収容部と、前記他方の支持部材に取り付けられた収容部とが、上下方向に段違いに配設されていることを特徴とする組立式駐輪場。
【請求項３】
請求項１または２記載の組立式駐輪場において、
前記躯体は、外壁パネルを有し、
前記一対の支持部材の各々には、前記外壁パネルの縁部を支持するパネル支持部がそれぞれ設けられ、
前記パネル支持部は、所定方向に開口した溝を有し、当該溝の開口する向きが互いに逆方向になるように前記支持部材の各々に２つずつ設けられ、
前記複数の収容ユニットに含まれる前記支持部材は、放射状に配設されるとともに、周方向に隣り合う２つの前記支持部材の各々に形成された前記溝に１つの前記外壁パネルの両縁部が係止されることを特徴とする組立式駐輪場。
【請求項４】
請求項３記載の組立式駐輪場において、
前記パネル支持部は、前記溝が上下方向に延在するように形成され、
前記複数の支持部材を所定位置に配設した後、前記パネル支持部の前記溝に前記外壁パネルの縁部が所定方向に差し込まれるようにして当該外壁パネルを配設可能に構成されていることを特徴とする組立式駐輪場。
【請求項５】
請求項１〜４のいずれか一項に記載の組立式駐輪場において、
前記躯体は、屋根と、前記屋根を支持する上部フレームとを備え、
前記支持部材は、前記上部フレームを支える支柱であることを特徴とする組立式駐輪場。
【請求項６】
請求項５記載の組立式駐輪場において、
前記補助支持部材は、前記上部フレームを支える支柱であることを特徴とする組立式駐輪場。
【発明の詳細な説明】
【技術分野】
【０００１】
本発明は、組立式駐輪場に関する。
【背景技術】
【０００２】
従来、躯体内に二輪車を格納する格納棚が複数配設された機械式駐輪場が知られている（例えば特許文献１参照）。
【先行技術文献】
【特許文献】
【０００３】
【特許文献１】特開２００７−１１３３０３号公報
【発明の概要】
【発明が解決しようとする課題】
【０００４】
ところで、上記特許文献１に記載の機械式駐輪場の場合、躯体がコンクリートセグメントから構成され、さらに躯体が地下に埋設されるため、駐輪場の組み立てに長期間を要してしまい、臨時の駐輪場など急を要する際には対応しがたいのが実状である。また、この駐輪場であると組み立てだけでなく移設や撤去にも時間がかかり、組み立てや解体にかかる費用の高騰を招く一因ともなっている。
このため、本発明の課題は、組み立て及び解体を容易に行うことができ、組み立てや解体にかかる費用の低減を図ることのできる組立式駐輪場を提供することである。
【課題を解決するための手段】
【０００５】
請求項１記載の発明に係る組立式駐輪場は、
地上に構築され、内部に二輪車を収容する複数の収容部が配設される躯体と、
前記躯体内に配設され、前記収容部に対して前記二輪車を搬送する搬送装置とを備え、
前記躯体を構成する躯体パーツ同士及び前記躯体パーツと前記搬送装置とが取付・解体自在な取付手段により取り付けられている組立式駐輪場において、
前記躯体は、台座と、当該台座上に等間隔に設置された複数の収容ユニットとを備え、
前記台座は、複数のパーツから構成され、
前記収容ユニットは、前記台座上に立設された一対の支持部材と、前記台座上に立設された補助支持部材とを備え、
一の前記収容ユニットに配設される前記収容部は、前記一対の支持部材のうち一方の支持部材に上下方向に複数段取り付けられた収容部と、この収容部とは異なる収容部であって他方の支持部材に上下方向に複数段取り付けられた収容部とからなり、
前記一方の支持部材に取り付けられた収容部及び前記他方の支持部材に取り付けられた収容部は、これらの間に配置された前記補助支持部材に、それぞれ水平方向に連結する支持フレームを介して連結されて支持されたことを特徴としている。
【０００６】
請求項２記載の発明は、請求項１記載の組立式駐輪場において、
前記一方の支持部材に取り付けられた収容部と、前記他方の支持部材に取り付けられた収容部とが、上下方向に段違いに配設されていることを特徴としている。
【０００７】
請求項３記載の発明は、請求項１または２記載の組立式駐輪場において、
前記躯体は、外壁パネルを有し、
前記一対の支持部材の各々には、前記外壁パネルの縁部を支持するパネル支持部がそれぞれ設けられ、
前記パネル支持部は、所定方向に開口した溝を有し、当該溝の開口する向きが互いに逆方向になるように前記支持部材の各々に２つずつ設けられ、
前記複数の収容ユニットに含まれる前記支持部材は、放射状に配設されるとともに、周方向に隣り合う２つの前記支持部材の各々に形成された前記溝に１つの前記外壁パネルの両縁部が係止されることを特徴としている。
【０００８】
請求項４記載の発明は、請求項３記載の組立式駐輪場において、
前記パネル支持部は、前記溝が上下方向に延在するように形成され、
前記複数の支持部材を所定位置に配設した後、前記パネル支持部の前記溝に前記外壁パネルの縁部が所定方向に差し込まれるようにして当該外壁パネルを配設可能に構成されていることを特徴としている。
【０００９】
請求項５記載の発明は、請求項１〜４のいずれか一項に記載の組立式駐輪場において、
前記躯体は、屋根と、前記屋根を支持する上部フレームとを備え、
前記支持部材は、前記上部フレームを支える支柱であることを特徴としている。
【００１０】
請求項６記載の発明は、請求項５記載の組立式駐輪場において、
前記補助支持部材は、前記上部フレームを支える支柱であることを特徴としている。
【発明の効果】
【００１２】
本発明によれば、駐輪場の組み立て及び解体を容易に行うことができ、組み立てや解体にかかる費用の低減を図ることが可能となる。
【図面の簡単な説明】
【００１３】
【図１】本実施形態に係る組立式駐輪場の概略構成を示す斜視図である。
【図２】本実施形態に係る組立式駐輪場の概略構成を示す断面図である。
【図３】本実施形態に係る組立式駐輪場の組み立て時における一工程を示す斜視図である。
【図４】本実施形態に係る組立式駐輪場の組み立て時における一工程を示す斜視図である。
【図５】本実施形態に係る組立式駐輪場の組み立て時における一工程を示す斜視図である。
【図６】本実施形態に係る組立式駐輪場の組み立て時における一工程を示す斜視図である。
【図７】本実施形態の組立式駐輪場に備わる収容ユニットの概略構成を示す側面図である。
【図８】本実施形態の組立式駐輪場に備わる収容ユニットの概略構成を示す上面図である。
【図９】本実施形態に係る組立式駐輪場の組み立て時における一工程を示す斜視図である。
【図１０】本実施形態に係る組立式駐輪場の組み立て時における一工程を示す上面図である。
【図１１】本実施形態に係る組立式駐輪場の組み立て時における一工程を示す上面図である。
【図１２】本実施形態に係る組立式駐輪場の組み立て時における一工程を示す部分斜視図である。
【図１３】本実施形態に係る組立式駐輪場の組み立て時における一工程を示す斜視図である。
【図１４】本実施形態に係る組立式駐輪場に備わる屋根パーツの概略構成を示す斜視図である。
【図１５】本実施形態に係る組立式駐輪場の組み立て時における一工程を示す斜視図である。
【発明を実施するための形態】
【００１４】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１５】
図１は本実施形態に係る組立式駐輪場の概略構成を示す斜視図であり、図２は組立式駐輪場の断面図である。組立式駐輪場１は組み立て及び解体が自在な駐輪場であり、図１及び図２に示すように地上に構築された躯体２と、躯体２内に配設された搬送装置３とを備えている。
【００１６】
躯体２の内部には、二輪車Ｂを収容する複数の収容部４が放射状に配置されていて、なおかつ上下方向に多段に配置されている。この躯体２は、多数の躯体パーツによる構成されている。これらの躯体パーツについては後述する組立式駐輪場１の組立方法を説明する際に説明する。
搬送装置３は、躯体２の中央部に配置されている。搬送装置３は、回転及び昇降することで各収容部４に対して二輪車Ｂを搬送するようになっている。
【００１７】
次に、駐輪場１の組立方法について説明する。
まず、図３に示すように、躯体２に備わる台座５を組み立てる。台座５は、躯体パーツの一種である４つの台座パーツ５１，５２，５３，５４から構成されている。これら台座パーツ５１〜５４のうち、１つの台座パーツ５４には二輪車Ｂを躯体２内に入出させる入出パーツ５５が一体的に取り付けられている。各台座パーツ５１〜５４同士は、その端部で係止されて、図４に示すように全体として上面視ドーナツ状に形成される。そして、台座パーツ５１〜５４の係止部分を取付・解体自在な取付手段（図示省略）によって固定する。ここで、取付手段としては、例えばボルトやナットなどの締結手段が挙げられる。
【００１８】
次いで、図５に示すように、躯体２の台座５の中央部分に搬送装置３を配置する。搬送装置３の回転台座３１は円形に形成されていて、躯体２の台座５中央の空間内に収まるようになっている。そして、搬送装置３と、躯体２の台座５との係止部分を取付手段によって固定する。
【００１９】
搬送装置３の組み付けが完了すると、図６に示すように、躯体パーツの一種である複数の収容ユニット６を躯体２の台座５に取り付ける。図７は、収容ユニット６の概略構成を示す側面図であり、図８は収容ユニット６の概略構成を示す上面図である。図７及び図８に示すように、収容ユニット６は、一対の支持部材６１と、支持部材６１よりも内側に設けられた補助支持部材６２とを備えている。一対の支持部材６１のうち、一方の支持部材６１には収容部４が３段取り付けられており、他方の支持部材６１には収容部４が３段取り付けられている。他方の支持部材６１に取り付けられた３段の収容部４は、一方の支持部材６１に取り付けられた３段の収容部４の間に配置されている。各収容部４は、支持フレーム６３を介して補助支持部材６２にも支持されている。
【００２０】
また、図８に示すように、一対の支持部材６１には、外壁パネル１０（図８中、点線で示す。）を支持するためのパネル支持部６４が設けられている。パネル支持部６４は、所定方向に開口し、かつ上下方向に延在する溝６５を有していて、当該溝６５の開口する向きが互いに逆方向になるように支持部材６１の各々に２つずつ設けられている。
【００２１】
図９に示すように、躯体２の台座５の全周にわたって、各収容ユニット６を放射状に配置し、当該台座５と各収容ユニット６同士を取付手段によって固定する。このとき、複数の支持部材６１が放射状に配設されるので、周方向に隣り合う２つの支持部材６１の各々に形成された溝６５の開口が互いに対向することになる。
【００２２】
収容ユニット６の設置後には、一対の支持部材６１及び補助支持部材６２が台座５に対して立設しているため、図１０に示すように、一対の支持部材６１及び補助支持部材６２の上端部に上部フレーム７を取り付ける。
上部フレーム７は、躯体パーツの一種である４つの上部フレームパーツ７１，７２，７３，７４から構成されている。各上部フレームパーツ７１〜７４同士は、その端部で係止されて全体として上面視ドーナツ状に形成される。上部フレーム７の外周部分が一対の支持部材６１により支持されて、内周部分が補助支持部材６２により支持される。このように、一対の支持部材６１及び補助支持部６２が上部フレーム７を支える支柱として機能する。そして、上部フレームパーツ７１〜７４の係止部分を取付手段によって固定する。さらに、一対の支持部材６１及び補助支持部材６２と上部フレーム７とをも取付手段によって固定する。なお、本実施形態では、上部フレーム７が一層式である場合を例示して説明したが、多層式であってもよい。
【００２３】
上部フレーム７の設置後には、図１１に示すように梁部８を搬送装置３の上部に取り付ける。梁部８は、躯体パーツの一種である複数の棒状の梁材８１と、各梁材８１を放射状に支持する梁用支持部８２とを備えている。梁用支持部８２に対して各梁材８１を取り付けてから、これらを取付手段によって固定する。その後、組み立てられた梁部８を搬送装置３の上端部に取り付け、梁部８と搬送装置３とを取付手段によって固定する。
【００２４】
次いで、図１２に示すように、隣り合う２つの支持部材６１間に、躯体パーツの一種である外壁パネル１０を配設する。このとき、隣り合う２つの支持部材６１の各々に形成された溝６５の開口が互いに対向しているので、これらの溝６５に外壁パネル１０の縁部を係合させて、外壁パネル１０を差し込む。溝６５は上下方向に延在しているため、外壁パネル１０は自重により下降し、隣り合う２つの支持部材６１間に配設される。
【００２５】
そして、図１３に示すように、全ての支持部材６１間に外壁パネル１０を配設すると、屋根９を設置する。屋根９は、躯体パーツの一種である扇状の４つの屋根パーツ９１，９２，９３，９４から構成されている。図１４は屋根パーツ９１〜９４の概略構成を示す斜視図である。図１４に示すように、屋根パーツ９１〜９４は、折り畳み自在となるように蛇腹状に形成されている（図１４（ａ）は折り畳み状態を示し、図１４（ｂ）は展開状態を示す。）。そして、屋根パーツ９１〜９４を１つずつ上部フレーム７、梁部８及び外壁パネル１０の上部に設置し、取付手段によって固定する。
図１５に示すように、全ての屋根パーツ９１〜９４が設置され、屋根９の組み立てが終わると、組立式駐輪場１の組み立ても完了する。
【００２６】
なお、組み立て作業と逆の手順で各躯体パーツを取り外すことにより、組立式駐輪場１の解体が可能である。
【００２７】
以上のように、本実施形態によれば、躯体を構成する躯体パーツ同士及び躯体パーツと搬送装置３とが取付・解体自在な取付手段により取り付けられているので、コンクリートセグメントからなる駐輪場と比べても、駐輪場１の組み立て及び解体を容易に行うことができ、組み立てや解体にかかる費用の低減を図ることが可能となる。
また、躯体パーツや搬送装置３がユニット化されているので、組み立て及び解体作業時の搬送も容易である。
そして、コンクリート等を用いないために養生期間等を確保する必要もなくなり、組み立て時間の短縮化も可能である。
【００２８】
また、収容部４を支持する複数の支持部材６１の各々には、外壁パネル１０の縁部を支持するパネル支持部６４がそれぞれ設けられているので、外壁パネル１０を支持する専用の部材を別個設けなくとも、支持部材６１のみで外壁パネル１０を支持することができる。これにより、部品点数を抑制することができる。
また、周方向に隣り合う２つの支持部材６１の各々に形成された溝６５に１つの外壁パネル１０の両縁部が係止される構成であるので、簡単な構成で外壁パネル１０を支持することができる。
そして、複数の支持部材６１を所定位置に配設した後、パネル支持部６４の溝６５に外壁パネル１０の縁部が所定方向に差し込まれるようにして当該外壁パネル１０を配設となっているので、自重を利用して当該外壁パネル１０を配設することができる。
【００２９】
また、収容ユニット６の一部である支持部材６１及び補助支持部材７２が上部フレーム７を支える支柱であるので、上部フレーム７を支持する専用の支柱を設けなくとも、上部フレーム７を支持することができ、部品点数の削減や、それに伴う組み立て作業及び解体作業の効率化を図ることができる。
【００３０】
なお、本発明は上記実施形態に限らず適宜変更可能である。以下の説明においては、上記実施形態と同一部分においては同一符号を付し、その説明を省略する。
例えば、上記実施形態では、取付手段としてボルトやナット等の締結手段を例示して説明したが、取付・解体自在なものであればこれ以外にも適用することは可能である。強度上、特に問題ないようであれば、締結手段などのように躯体パーツ同士を固定しなくとも、単に躯体パーツ同士を組み付ける構成であっても構わない。この場合、一方の躯体パーツに例えば凹部等の係合部を設け、前記凹部に組み付けられる凸部等の被係合部を他方の躯体パーツに設ければよく、これら係合部及び被係合部が取付手段として機能する。
【符号の説明】
【００３１】
１      組立式駐輪場
２      躯体
３      搬送装置
４      収容部
５      台座
６      収容ユニット（躯体パーツ）
７      上部フレーム
８      梁部
９      屋根
１０      外壁パネル（躯体パーツ）
５１，５２，５３，５４  台座パーツ（躯体パーツ）
５５      入出パーツ
６１      支持部材
６２      補助支持部材
６３      支持フレーム
６４      パネル支持部
６５      溝
７１，７２，７３，７４  上部フレームパーツ（躯体パーツ）
８１      梁材（躯体パーツ）
８２      梁用支持部（躯体パーツ）
９１，９２，９３，９４  屋根パーツ（躯体パーツ）
Ｂ      二輪車
【図１】
0005758613.tif 000002
【図２】
0005758613.tif 000003
【図３】
0005758613.tif 000004
【図４】
0005758613.tif 000005
【図５】
0005758613.tif 000006
【図６】
0005758613.tif 000007
【図７】
0005758613.tif 000008
【図８】
0005758613.tif 000009
【図９】
0005758613.tif 000010
【図１０】
0005758613.tif 000011
【図１１】
0005758613.tif 000012
【図１２】
0005758613.tif 000013
【図１３】
0005758613.tif 000014
【図１４】
0005758613.tif 000015
【図１５】
0005758613.tif 000016